(57)【特許請求の範囲】
【請求項１】
長尺で上部に少なくとも一方の側縁が開放された上板を有し、複数本を互いに平行に並べて設けられる水平材に、
前記水平材の上に配置される平板状のパネルであり、下面には前記水平材に平面視直交する突条が設けられる床材を、固定する床材固定具であって、
前記床材の前記突条に摺動可能に嵌合する嵌合部と、前記突条の下端に当接するように配置され、前記嵌合部の摺動により、前記突条との間に前記水平材の前記上板を挟み込んで固定する押圧部と、を有する弾性体からなり、
前記床材の前記突条は、その下端に当該突条に沿って水平な帯状に形成される平板部を有しており、
前記嵌合部は、前記平板部の幅方向の一方の側端に先端が掛止するフック状に形成された第一腕部と、中間に前記平板部の他方の側端に掛止する湾曲部が設けられるとともに、当該湾曲部から先端が、前記第一腕部から離反する方向に延ばされる第二腕部とを具備し、前記第一腕部及び前記第二腕部が前記平板部に挟着することで、摺動可能に嵌合することを特徴とする床材固定具。
【請求項２】
前記嵌合部を前記突条に嵌合させたときに、前記押圧部は、その基端部が前記突条の下方で前記嵌合部に繋がっており、当該嵌合部の摺動方向に向かって、先端部及び基端部が低く中間部が高い山型に形成されており、当該中間部は前記突条の下端に当接することを特徴とする請求項１に記載の床材固定具。
【請求項３】
前記押圧部は、前記嵌合部の摺動方向における両側に、それぞれ形成されることを特徴とする請求項２に記載の床材固定具。
【請求項４】
長尺で上部に少なくとも一方の側縁が開放された上板を有し、複数本を互いに平行に並べて設けられる水平材に、
前記水平材の上に配置される平板状のパネルであり、下面には前記水平材に平面視直交する突条が設けられる床材を、
請求項１から請求項３のいずれかに記載の床材固定具で固定したことを特徴とする床構造。
【請求項５】
前記床材は、防水床パネルであることを特徴とする請求項４に記載の床構造。
【発明の詳細な説明】
【技術分野】
【０００１】
本発明は、根太などの水平材の上に床材が敷設される場合に、当該床材を水平材に固定する床材固定具及び床構造に関する。
【背景技術】
【０００２】
従来より、バルコニーの床材を根太に固定する金具が種々提案されている（特許文献１、２参照）。例えば、特許文献１では、床材の裏面に設けられた係止部を係合する係合部を有する固定具を根太にビスで固定して、根太に床材を固定するしている。また、特許文献２では、根太を嵌入固定する根太受け部と、床材の端部に端縁が直立するように設けられた直立板部に係止されるかぎ形の床材係止部と、からなる固定具によって、根太と床材とを固定している。
【先行技術文献】
【特許文献】
【０００３】
【特許文献１】特開２００６−１９３９７４号公報
【特許文献２】実公平７−３８４８２号公報
【発明の概要】
【発明が解決しようとする課題】
【０００４】
しかし、特許文献１のような固定具では、ビス打ち等の作業が必要となる上、ビス打ち後に防水処理を行う必要があるなど、作業が複雑化し、施工時間が長くなるおそれがある。また、特許文献２の例では、まず根太の適切な位置に固定具を固定した後、床材を一枚ずつ端から順に固定していく必要があり、固定具配置する位置決めや床材係止部に床材の直立板部を係止する作業などに時間がかかり、施工時間が長くなるおそれがある。
【０００５】
そこで、本発明は、施工時間を短縮することができ、又、専用工具などを必要とせず、容易に施工することができる床材固定具、及び床構造を提供することを目的とする。
【課題を解決するための手段】
【０００６】
本発明の床材固定具は、長尺で上部に少なくとも一方の側縁が開放された上板を有し、複数本を互いに平行に並べて設けられる水平材に、前記水平材の上に配置される平板状のパネルであり、下面には前記水平材に平面視直交する突条が設けられる床材を、固定する床材固定具であって、前記床材の前記突条に摺動可能に嵌合する嵌合部と、前記突条の下端に当接するように配置され、前記嵌合部の摺動により、前記突条との間に前記水平材の前記上板を挟み込んで固定する押圧部と、を有する弾性体からなり、前記床材の前記突条は、その下端に当該突条に沿って水平な帯状に形成される平板部を有しており、前記嵌合部は、前記平板部の幅方向の一方の側端に先端が掛止するフック状に形成された第一腕部と、中間に前記平板部の他方の側端に掛止する湾曲部が設けられるとともに、当該湾曲部から先端が、前記第一腕部から離反する方向に延ばされる第二腕部とを具備し、前記第一腕部及び前記第二腕部が前記平板部に挟着することで、摺動可能に嵌合することを特徴としている。
【０００８】
より好ましくは、本発明の床材固定具は、前記嵌合部を前記突条に嵌合させたときに、前記押圧部は、その基端部が前記突条の下方で前記嵌合部に繋がっており、当該嵌合部の摺動方向に向かって、先端部及び基端部が低く中間部が高い山型に形成されており、当該中間部は前記突条の下端に当接することを特徴としている。
【０００９】
さらに好ましくは、本発明の床材固定具は、前記押圧部は、前記嵌合部の摺動方向における両側に、それぞれ形成されることを特徴としている。
【００１０】
本発明の床構造は、長尺で上部に少なくとも一方の側縁が開放された上板を有し、複数本を互いに平行に並べて設けられる水平材に、前記水平材の上に配置される平板状のパネルであり、下面には前記水平材に平面視直交する突条が設けられる床材を、請求項１から請求項４のいずれかに記載の床材固定具で固定したことを特徴としている。
【００１１】
好ましくは、本発明の床構造は、前記床材は、防水床パネルであることを特徴としている。
【発明の効果】
【００１２】
本発明の床材固定具によると、床材の下面に設けられた突条に嵌合部を嵌合させた状態で摺動させることにより、押圧部を水平材の上板の下側に配置し、突条と押圧部との間に上板を挟み込んで固定するので、単に床材固定具を突条に沿って摺動させるだけで、きわめて簡単に床材を水平材に固定することができ、施工時間を短縮することができ、又、単に床材固定具を摺動させるだけなので、例えばハンマーのような一般的な工具で床材固定具を摺動方向に向かうようにたたくだけで、施工することができるので、専用工具などを必要とすることもない。
【００１３】
また床材固定具によると、嵌合部は、突条の下端に突条に沿って水平な帯状に形成される平板部に嵌合されるものである。そして、嵌合部は、平板部の幅方向の一方の側端に先端が掛止するフック状に形成された第一腕部と、平板部の他方の側端に中間部が掛止する湾曲部が設けられるとともに、中間部から先端が、第一腕部から離反する方向に延ばされる第二腕部とを具備している。したがって、まず突条の平板部の一方の側端に第一腕部の先端を掛止した後、次に第二腕部の先端を持って第一腕部から離反する方向に弾性変形させて、平板部の他方の側端に係止することで、嵌合部が平板部に挟着するので、簡単な構成で確実に床材固定具を突条の下端に固定することができる。
【００１４】
より好ましい形態の床材固定具によると、押圧部は嵌合部の摺動方向に向かって、先端部及び基端部が低く中間部が高い山型に形成されており、且つ、中間部が突条の下端に当接するので、この状態で嵌合部を突条に沿って摺動させると、押圧部の中間部が突条の下端に当接状態で摺動し、押圧部の先端部側が水平材の上板の端縁に接触する。そして、そのまま摺動させると、押圧部が弾性変形しながら水平材の上板の下側に当接した状態となり、押圧部と突条とで水平材の上板に挟着する。したがって、単に嵌合部を突条に沿って摺動させるだけで、水平材に床材を固定することができる。
【００１５】
さらに好ましい形態の床材固定具によると、押圧部は、嵌合部の摺動方向における両側に、それぞれ形成されているので、押圧部の向きを考慮する必要がなく、作業者の作業しやすい方向から作業することができる。
【００１６】
本発明の床構造によると、上述の床材固定具で固定されるので、水平材に床板を簡単に固定することができる床構造とすることができる。
【００１７】
好ましい形態の床構造によると、床材が防水床パネルであるので、床材同士を突き合わせ部分などに水密性が必要であるが、床材固定具が床材の下面側に設けられた突条に嵌合することで、水平材と床材との固定をすることができるので、床材同士を突き合わせ部分と無関係に施工することができ、防水性に影響を与えることなく簡単に施工することができる。
【図面の簡単な説明】
【００１８】
【図１】（Ａ）は、突条の長さ方向から見た本実施形態の床構造を示す図、（Ｂ）は、水平材の長さ方向から見た本実施形態の床構造を示す図。
【図２】本実施形態の床材固定具の全体構成を示す斜視図。
【図３】（Ａ）は床材固定具の嵌合部を説明する側面図、（Ｂ）は床材固定具の押圧部を説明する正面図。
【図４】突条の平板部に床材固定具の嵌合部を嵌合させる途中の状態を示す図。
【図５】突条の平板部に床材固定具の嵌合部を嵌合させた後の状態を示す図。
【図６】嵌合部を突条に沿って摺動させて、床材固定具を水平材に接近させた状態を示す図。
【図７】床材固定具に打撃を与えて、床材と水平材とを固定した状態を示す図。
【図８】床材を水平材が固定されたフレームに敷設する前の状態を示す図。
【図９】床材を水平材が固定されたフレームに敷設した状態を示す図。
【発明を実施するための形態】
【００１９】
以下、本発明に係る床構造１及び当該床構造１に用いる床材固定具２の最良の実施形態について各図を参照しつつ説明する。本実施形態における床構造１は、例えば、片持ちのバルコニーにおける防水床の構造である。床構造１は、図１に示すように、水平材３と、当該水平材３の上に配置される床材４と、床材４を水平材３にを固定する床材固定具２とを備えている。なお、本発明の床構造１は防水床の構造に限定されるものではなく、水平材３の上にパネル状の床材４を固定する床構造１であれば、他の部分の床構造１にも適用することができる。
【００２０】
水平材３は、図１及び図８等に示すように、長尺な鋼材である。水平材３の上部には少なくとも一方の側縁が開放された上板５を有している。水平材３は、具体的には、側方に向けて開口するように取付けられた溝形鋼からなる根太である。なお、水平材３は溝形鋼に限定されるものではなく、少なくとも上部に水平な板状の上板５が形成されており、当該上板５の一方の側縁が開放された状態であればよい。なお、「側縁が開放された」とは、側縁が他の部分に連結されていない状態をいう。例えば、水平材３は、上下のフランジをウエブで繋いだＨ形鋼や、上面と側面とを有するように設置されたアングルであってもよい。
【００２１】
水平材３は、図７に示すように、矩形フレーム６の内側に複数本を互いに平行に並べて固定されており、この矩形フレーム６を外壁７から水平に突出する腕木８に固定することで外壁７から屋外側に突出する方向に水平に設置されている。
【００２２】
床材４は、図１、図７及び図８に示すように、水平材３の上に配置される平板状のパネルであり、例えばアルミニウム製である。床材４の下面には、図４及び図５に示すように、水平材３に当接する突条９が下方に突出して設けられており、この突条９の下端には、当該突条９に沿って水平な帯状に形成される平板部１０を有している。床材４は突条９を足として水平材３の上に配置され、平板部１０が水平材３の上板５の上面に当接して載置されている。突条９は、平面視した場合、言い換えれば、上下方向から見た場合に、水平材３に対して略直交するように配置される。突条９は、一枚の床材４の下面に互いに平行に複数本設けられていてもよい。床材４は、敷設する全面を１枚の床材４で覆うものであってもよく、複数枚に分けられて敷設されるものであってもよい。
【００２３】
なお、床構造１が防水床である場合には、隣接する床材４を突合せる床材４の端部には水密性が必要であり、一方の床材４の端部と他方の床材４の端部とが互いに重なりあって噛み合う形状が好ましい。平行に設けられる複数の突条９の突出長さは均等でなくてもよく、例えば、バルコニーの床構造１である場合には、最も屋内側に配置される突条９の突出長さが長く、最も屋外側に配置される突条９の突出長さが短く構成されると、床材４の上面が屋外方向に向かって下り勾配に形成され、図示しないドレインへの排水に有利である。
【００２４】
床材固定具２は、図２及び図３に示すように、１枚の弾性金属をプレス加工して形成されており、突条９の下端に形成された平板部１０に摺動可能に嵌合する嵌合部１１と、当該嵌合部１１が平板部１０に嵌合した状態で、平板部１０の下面に一部が当接するように形成された押圧部１２と、を有している。
【００２５】
嵌合部１１は、図３（Ａ）に示すように、矩形平板の下板部１３と、当該下板部１３の両側からそれぞれ上方に突出する第一腕部１４及び第二腕部１５とを有している。第一腕部１４は、突条９の下端に形成された平板部１０の幅方向の一方の側端に先端が掛止するフック状に形成されている。また、第二腕部１５は、その長さ方向の中間に平板部１０の他方の側端に掛止する湾曲部１６が設けられており、当該湾曲部１６から先端が、第一腕部１４から離反する方向に延ばされている。第一腕部１４及び第二腕部１５は図４及び図５に示すように、平板部１０に挟着することで、当該平板部１０に沿って摺動可能に嵌合している。
【００２６】
押圧部１２は、図３（Ｂ）に示すように、その基端部１８が嵌合部１１の下板部１３に繋がっており、嵌合部１１の摺動方向に向かって、先端部１７及び基端部１８が低く中間部１９が高い山型に形成されている。嵌合部１１を突条９の平板部１０に嵌合させた状態のときに、当該平板部１０の下面に押圧部１２の中間部１９が当接するように形成されている。そして、嵌合部１１が突条９に沿って摺動することによって、押圧部１２は水平材３の上板５に当接し、そのまま更に嵌合部１１が摺動することにより、押圧部１２が上板５によって弾性変形し、当該上板５の厚さ分、押圧部１２の中間部１９が下方に変位する。押圧部１２の中間部１９は水平材３の上板５に当該上板５を上方に付勢するように当接し、突条９の平板部１０と押圧部１２の中間部１９とで上板５を挟み込んで固定して、床構造１を形成する。
【００２７】
なお、押圧部１２は、嵌合部１１の摺動方向の両側に形成されており、押圧部１２の向きを考慮することなく作業を行うことができ、作業者の作業しやすい方向から作業することができる。
【００２８】
床材固定具２を用いて床材４を水平材３に固定する際には、図８及び図９に示すように、外壁７から屋外方向に水平に突出する一対の腕木８の間に水平材３としての根太を平行に複数固定した矩形フレーム６を図示しないボルトなどで固定する。水平材３は腕木８に対して並行な屋外方向に並べて固定されている。そして、次に、当該水平材３の上に床材４を載置する。
【００２９】
水平材３上に床材４を敷き詰めると、次に、下方から床材固定具２の嵌合部１１を床材４の突条９の平板部１０に嵌合させる。具体的には、図４に示すように、床材固定具２を斜めに保持して、突条９の平板部１０の幅方向の一方の側端に、第一腕部１４の先端を引っ掛ける。そして、床材固定具２を第一腕部１４の先端を中心に揺動させ、第二腕部１５の先端が第一腕部１４から離反する方向に引っ張って、第二腕部１５を弾性変形させる。そして、図５に示すように、第二腕部１５の湾曲部１６を平板部１０の他方の側端に引っ掛けて、第一腕部１４と第二腕部１５とで平板部１０に挟着する。
【００３０】
そして、次に、嵌合部１１を突条９に沿って摺動させて、図６に示すように、床材固定具２が水平材３に接近するように水平方向に移動させる。床材固定具２の第二腕部１５の湾曲部１６は、突条９の平板部１０の下面に当接した状態で突条９に沿って移動し、第二腕部１５の湾曲部１６と先端との間が水平材３の上板５に接触する。そして、図７に示すように、例えばハンマーなどの工具で、打撃を加えて更に水平材３に接近する方向に床材固定具２を移動させると、第二腕部１５が上板５によって下方に弾性変形し、湾曲部１６が上板５の下面に接触する状態となる。
【００３１】
このとき、第二腕部１５は下方に弾性変形しているので、その弾性力によって上板５を上方に押圧する。したがって、突条９の平板部１０と第二腕部１５との間に水平材３の上板５を挿入した状態となり、床材固定具２及び床材４が水平材３に固定される。そして、このような工程を繰り返して、床材固定具２によって床材４を水平材３に複数箇所固定し、作業を終了する。
【００３２】
このように、本実施形態の床材固定具２及び床構造１によると、単に床材固定具２を突条９に沿って摺動させるだけで、きわめて簡単に床材４を水平材３に固定することができ、施工時間を短縮することができるとともに、単に床材固定具２を摺動させるだけなので、例えばハンマーのような一般的な工具で床材固定具２を摺動方向に向かうようにたたくだけで、施工することができるので、専用工具などを必要とすることもない。
【００３３】
特に本実施形態の床構造１は、床材４が防水床パネルであるので、床材４同士を突き合わせ部分などに水密性が必要であるが、床材固定具２が床材４の下面側に設けられた突条９に嵌合することで、水平材３と床材４との固定をすることができるので、床材４同士を突き合わせ部分と無関係に施工することができ、防水性に影響を与えることなく簡単に施工することができる。
【００３４】
なお、本実施形態の床材固定具２及び床構造１は、単に床材固定具２を摺動させるだけで施工することができるので、例えば床材４の交換などのリフォームにおいて、床材４を取り外す作業についても簡単に行うことができる。すなわち、ハンマーなどの工具を用いて、突条９に沿って水平材３から離反する方向に床材固定具２を移動させると、第二腕部１５が上板５から離れて、床材４及び床材固定具２の水平材３との固定を解除される。
【００３５】
なお、本発明の実施の形態は上述の形態に限ることなく、本発明の思想の範囲を逸脱しない範囲で適宜変更することができることは云うまでもない。
【産業上の利用可能性】
【００３６】
本発明に係る、床材固定具２及び床構造１は、例えば住宅のバルコニーの床に用いられる床材固定具２及び床構造１として好適に用いることができる。
【符号の説明】
【００３７】
１        床構造
２        床材固定具
３        水平材
４        床材
５        上板
９        突条
１０      平板部
１１      嵌合部
１２      押圧部
１４      第一腕部
１５      第二腕部
１６      湾曲部
【図１】
0006525263.tif 000002
【図２】
0006525263.tif 000003
【図３】
0006525263.tif 000004
【図４】
0006525263.tif 000005
【図５】
0006525263.tif 000006
【図６】
0006525263.tif 000007
【図７】
0006525263.tif 000008
【図８】
0006525263.tif 000009
【図９】
0006525263.tif 000010